(57)【要約】      （修正有）【課題】洗濯などの影響を受けず、より長期に抜け毛等を捕捉する腕脚兼用衛生カバーを提供する。【解決手段】腕又は脚を通す筒状に形成したカバー本体１と、カバー本体１の両端開口それぞれに腕又は脚に密着可能な伸縮性を有する止め口部２・３とを有してなり、カバー本体１は体毛が通過しない大きさの網目からなる布地によって形成する。この場合、布地は、伸縮性を有する化学繊維によって組織するか、メリヤス編の編地を採用する。また、丸編した筒状の編地であることが好ましい。さらに、カバー本体１は手首・足首側から肘・膝側にかけて漸次拡径する円錐状に形成することもある。【選択図】図１
0003217868.tif 000002
【実用新案登録請求の範囲】
【請求項１】
腕又は脚を通す筒状に形成したカバー本体と、該カバー本体の両端開口それぞれに前記腕又は脚に密着可能な伸縮性を有する止め口部とを有してなり、前記カバー本体は体毛が通過しない大きさの網目からなる布地によって形成したことを特徴とする腕脚兼用衛生カバー。
【請求項２】
カバー本体を形成する布地は、伸縮性を有する化学繊維によって組織したものである請求項１記載の腕脚兼用衛生カバー。
【請求項３】
カバー本体を形成する布地は、メリヤス編の編地である請求項１または２記載の腕脚兼用衛生カバー。
【請求項４】
カバー本体を形成する布地は、丸編した筒状の編地である請求項１、２または３記載の腕脚兼用衛生カバー。
【請求項５】
丸編の編地は、ゲージが針本数３６０Ｎの丸編み機によって形成されている請求項４記載の腕脚兼用衛生カバー。
【請求項６】
カバー本体は手首・足首側から肘・膝側にかけて漸次拡径する円錐状に形成されている請求項１から５のうち何れか一項記載の腕脚兼用衛生カバー。
【請求項７】
止め口部は、手首・足首側よりも肘・膝側をカバー本体の袖丈方向に沿った長さが大きい請求項６記載の腕脚兼用衛生カバー。
【考案の詳細な説明】
【技術分野】
【０００１】
この考案は、作業着の上から腕や脚に装着することで、袖口や裾口から抜け毛等の落下を防止する筒状の腕脚兼用衛生カバーに関するものである。
【背景技術】
【０００２】
防塵対策を必要とする食品、化粧品、医薬品、半導体などを製造するクリーンルーム内では、衛生キャップによって毛髪やフケの散逸を防止することはもちろん、抜け落ちた脇毛やすね毛などの抜け毛、また皮膚や垢をも捕捉するために、本出願人は特許文献１の袖裾装着具を開示した。
【０００３】
この袖裾装着具は、腕や脚に通す筒状のカバー本体を電石不織布で構成すると共に、その手首・足首側の開口部には伸縮性を持たせて手首や足首に密着させる一方、肘・膝側の開口部には作業着の袖や裾に脱着できように面ファスナを設けている。このように構成された袖裾装着具は、腕や脚に装着することで、抜け毛等が電石不織布からなるカバー本体の電気分極によって、その内面に吸着され、外部への脱落を防止することができる。
【先行技術文献】
【特許文献】
【０００４】
【特許文献１】特開２００７−１６９８０８号公報
【考案の概要】
【考案が解決しようとする課題】
【０００５】
しかしながら、特許文献１の袖裾装着具は、洗濯によってカバー本体（電石不織布）の吸着性が低下する。このため、経時的に抜け毛等の捕捉力（吸着力）が低下し、その一部が手首・足首側の開口部から抜け出すおそれがあった。
【０００６】
本考案は上述した課題を解決するためになされたもので、その目的とするところは、洗濯などの影響を受けず、より長期に抜け毛等を捕捉することができる腕脚兼用衛生カバーを提供することである。
【課題を解決するための手段】
【０００７】
上述した目的を達成するために本考案では、腕または脚に装着後、両口を閉じた状態で抜け毛等を筒状のカバー本体に絡ませて捕捉する。具体的には、腕又は脚を通す筒状に形成したカバー本体と、該カバー本体の両端開口それぞれに前記腕又は脚に密着可能な伸縮性を有する止め口部とを有してなり、前記カバー本体は体毛が通過しない大きさの網目からなる布地によって形成するという手段を用いた。抜け毛等はカバー本体の網目に絡みついて捕捉される。抜け毛は毛根を有するため、網目から抜け出すことなく、絡んだ状態となるのである。仮に、捕捉できなかった抜け毛等があったとしても、止め口部によって堰き止められ、外部に散逸することを防止する。そして、こうして捕捉した抜け毛等は選択することによって除去することができる。
【０００８】
さらに本考案では、より具体的な構成として、カバー本体を形成する布地を、伸縮性を有する化学繊維によって組織するか、メリヤス編の編地を採用する。これによってカバー本体は伸縮性（ストレッチ性）を有することになり、作業中、腕や脚の動きに追従し、作業を阻害することがない。また、その伸縮性によって、腕と脚に兼用することができ、しかも、フリーサイズとすることができる。さらに、カバー本体が伸縮する際に網目が拡縮するため、抜け毛等をより絡みつけやすい。なお、伸縮性を有する化学繊維としては、例えば、原料にポリウレタンを含む伸縮糸（弾性糸）が該当する。そして、この場合は、メリヤス編によらずとも、平織することによって伸縮性を有するカバー本体を形成することができる。つまり、本考案では、カバー本体は織物（織布）と編物の何れであってもよい。
【０００９】
さらに、カバー本体を形成する布地が、丸編した筒状の編地である場合には、カバー本体を縫い目がないシームレスな筒状に形成することができ、内面全周にわたって均一な捕捉力を発揮する。また、縫い目がないため、肌触りも良好である。この場合、ゲージが針本数３６０Ｎの丸編み機によって形成された丸編の編地を採用することが好ましい。これは、女性用ストッキングを製造する際と同じゲージ（ハイゲージ）となり、体毛の通過阻止力、伸縮性、肌触りの全ての要素で優れているからである。はただし、本考案はこれに限定されず、一枚の布地を縫い合わせてカバー本体を筒状に形成するようにしてもよい。
【００１０】
一方、カバー本体の形状は、全長にわたって径が同一の完全な円筒状であってもよいが、手首・足首側から肘・膝側にかけて漸次拡径する円錐状に形成されていることが好ましい。これは人間の腕又は脚の外形に合わせたものである。
【００１１】
また、この場合は、カバー本体の両端に設けた止め口部は、手首・足首側よりも肘・膝側をカバー本体の袖丈方向に沿った長さが大きいことが好ましい。人間の腕や脚は、手首や足首よりも肘側や膝側が太く、ずり落ちやすいことに対応するために、当該長さを大きくすることで肘・膝側の止め口部の腕や脚に対する密着面積を大きくしたものである。
【００１２】
なお、止め口部は、カバー本体を延長した部分をゴム編等することで径方向に拡縮する構成とすることができ、典型的には伸縮ギャザーが該当する。
【考案の効果】
【００１３】
本考案によれば、カバー本体の網目に体毛等を絡みつけるようにしたので、洗濯などの影響を受けず、抜け毛等をより確実に捕捉可能な腕脚兼用衛生カバーを提供することができた。
【図面の簡単な説明】
【００１４】
【図１】本考案の一実施形態に係る腕脚兼用衛生カバーの斜視図
【図２】同、側面図
【考案を実施するための形態】
【００１５】
以下、本考案の好ましい実施の形態を添付した図面に従って説明する。図１・２は本考案の一実施形態を示したもので、１はカバー本体、２は手首・足首側の止め口部、３は肘・膝側の止め口部である。カバー本体１は腕又は脚を通すことができる径を有した筒状に形成しており、その両端開口に止め口部２・３を設けている。
【００１６】
カバー本体１は、脇毛やすね毛などの抜け落ちた体毛が通過しない網目の布地によって形成されている。これによって、抜け毛を繊維に絡ませて捕捉する。
【００１７】
一方、止め口部２・３は、伸縮ギャザーなどによって径が拡縮する伸縮構造としており、腕に装着した後はそれぞれが手首と一の腕に密着し、脚に装着したときはそれぞれが足首とふくらはぎに密着して、ズレを抑止する。また、カバー本体１で抜け毛を捕捉できなかったものについては、止め口部２・３で堰き止められて、外部への散逸を防止する。
【００１８】
カバー本体１の素材となる布地は、伸縮性を有する化学繊維によって組織したものを採用する。こうした化学繊維としては、混率がポリエステル９６％、ポリウレタン４％の伸縮糸（弾性糸）が該当し、これを平織することによって、カバー本体１に伸縮性を持たせることができる。
【００１９】
他の布地としては、メリヤス編の編地が該当し、特に、丸編によって当初より筒状をなす編地を採用することが好ましい。当初より筒状の編地を採用することで、カバー本体１をシームレスに構成でき、内面全周で均一な捕捉力が得られるからである。また、この丸編した編地は、ゲージが針本数３６０Ｎの丸編み機によって形成されたものであることが好ましい。このようなハイゲージの編地を採用することで、女性用ストッキングにみられるような十分な伸縮性を備え、また、体毛が突き出ることを確実に防止でき、さらに、肌触りも良好とすることができるからである。
【００２０】
さらに、カバー本体１は、図２に示したように、手首・足首側から肘・膝側に向けて漸次、径が拡大する円錐状に形成することが好ましい。人間の腕や脚の外形に合わせることで、装着が良好で、装着後も窮屈感がなく、円滑な作業の妨げとならないからである。
【００２１】
一方、止め口部２・３は、手首・足首側と肘・膝側とでカバー本体１の袖丈方向に沿った長さＷ１・Ｗ２が異なっており、この実施形態では、肘・膝側の止め口部３の長さＷ２を手首・足首側２の長さＷ１よりも大きくしている。これは、手首や足首よりも一の腕やふくらはぎが太く、両止め口部２・３を同じ長さとした場合、肘・膝側の止め口部３がずれやすいのに対応するもので、当該止め口部３の長さＷ２を大きくすることで、一の腕やふくらはぎへの密着面積を大きくしたものである。
【００２２】
なお、サイズの一例を挙げると、全く伸縮させない状態で、止め口部２の長さＷ１を４０ｍｍ、止め口部３の長さＷ２を４０ｍｍ、総丈Ｗ３を２００ｍｍ±１０ｍｍとする。また、袖口幅（直径）については、同様に全く拡縮しない状態で、止め口部２の袖口幅Ｄ１を７０ｍｍ程度、止め口部３の袖口幅Ｄ２を９５ｍｍ程度する。このようなサイズとすることによって、腕と脚とに兼用でき、しかも、フリーサイズの衛生カバーを構成することができる。
【符号の説明】
【００２３】
１  カバー本体
２  手首・足首側の止め口部
３  肘・膝側の止め口部
【図１】
0003217868.tif 000003
【図２】
0003217868.tif 000004